(57)【要約】【課題】ワイヤーハーネス固定用粘着シートと剥離ライナーとの剥離にともなって癖がつき難いワイヤーハーネス固定用粘着シートを提供する。【解決手段】ワイヤーハーネス固定用粘着シート１００は、金属箔である基材１０１、および基材の一方の面の側に設けられた粘着剤層１０４を有するとともに、粘着剤層を介して剥離ライナー１１０に剥離自在に配置されている。また、ワイヤーハーネス固定用粘着シートは、基材の一方の面と粘着剤層との間に、基材と一体に設けられた樹脂フィルム１０３を有しており、ＪＩＳ  Ｌ  １０８５に準拠したガーレ法によって測定されるワイヤーハーネス固定用粘着シートの剛軟度が、ガーレ法によって測定される剥離ライナーの剛軟度よりも大きい。【選択図】図１
2018104499.tif 000002
【特許請求の範囲】
【請求項１】
金属箔である基材、および当該基材の一方の面の側に設けられた粘着剤層を有するとともに、前記粘着剤層を介して剥離ライナーに剥離自在に配置されたワイヤーハーネス固定用粘着シートであって、
前記基材の一方の面と前記粘着剤層との間に、前記基材と一体に設けられた樹脂フィルムを有し、
ＪＩＳ  Ｌ  １０８５に準拠したガーレ法によって測定される前記ワイヤーハーネス固定用粘着シートの剛軟度が、前記ガーレ法によって測定される前記剥離ライナーの剛軟度よりも大きい、ワイヤーハーネス固定用粘着シート。
【請求項２】
固定された前記剥離ライナーに対し前記ワイヤーハーネス固定用粘着シートを剥離角度１８０°で剥離した際の剥離力は、剥離速度０．３ｍ／分で５０ｍＮ／５０ｍｍ以上、剥離速度５０ｍ／分で２０００ｍＮ／５０ｍｍ以下であり、
剥離速度０．３ｍ／分で剥離されている前記ワイヤーハーネス固定用粘着シートを止めたとき、前記ワイヤーハーネス固定用粘着シートの円弧状の折返し部の曲率半径は、３ｍｍ以上１０ｍｍ以下となる、請求項１に記載のワイヤーハーネス固定用粘着シート。
【請求項３】
前記剥離ライナーは、グラシン紙である、請求項１または請求項２に記載のワイヤーハーネス固定用粘着シート。
【請求項４】
前記樹脂フィルムの形成材料は、ポリエチレンテレフタレート（ＰＥＴ）、ポリプロピレン（ＰＰ）、ポリエチレン（ＰＥ）、およびポリ塩化ビニル（ＰＶＣ）からなる群より選択される一種である、請求項１〜請求項３のうちのいずれか１つに記載のワイヤーハーネス固定用粘着シート。
【発明の詳細な説明】
【技術分野】
【０００１】
本発明はワイヤーハーネス固定用粘着シートに関する。
【背景技術】
【０００２】
従来、自動車等の分野では、電力の供給や信号通信のため、複数の電線を束にしたワイヤーハーネスが用いられており、ワイヤーハーネスを車体等の被着体に固定する粘着シートが種々提案されている。例えば特許文献１では、金属箔からなる基材上に粘着剤層が設けられた粘着シートが開示されている。特許文献１の粘着シートは、安定した貼り付けのため、塑性変形し易い金属箔からなる基材が貼付対象物の形状に追従するよう変形した状態で貼り付けられる。
【先行技術文献】
【特許文献】
【０００３】
【特許文献１】特許第４８２６０８０号公報
【発明の概要】
【発明が解決しようとする課題】
【０００４】
しかしながら、粘着シートが粘着剤層を介して剥離紙等の剥離ライナーに配置されており、貼り付けにあたって粘着シートと剥離ライナーとが剥がされると、粘着シートは、金属箔からなる基材が塑性変形し易いが故に、めくるように力が加えられて変形したまま元に戻り難く、大きくカールした形状の癖がつき易い。このような癖がついていると、作業者は癖を矯正しながら貼り付けを行わなければならず、貼り付け作業が煩雑になる。
【０００５】
そこで、本発明は、ワイヤーハーネス固定用粘着シートと剥離ライナーとの剥離にともなって癖がつき難いワイヤーハーネス固定用粘着シートを提供することを目的とする。
【課題を解決するための手段】
【０００６】
上記目的を達成するための本発明のワイヤーハーネス固定用粘着シートは、金属箔である基材、および当該基材の一方の面の側に設けられた粘着剤層を有するとともに、前記粘着剤層を介して剥離ライナーに剥離自在に配置されている。また、本発明のワイヤーハーネス固定用粘着シートは、前記基材の一方の面と前記粘着剤層との間に、前記基材と一体に設けられた樹脂フィルムを有しており、ＪＩＳ  Ｌ  １０８５に準拠したガーレ法によって測定される前記ワイヤーハーネス固定用粘着シートの剛軟度が、前記ガーレ法によって測定される前記剥離ライナーの剛軟度よりも大きい。
【発明の効果】
【０００７】
上記構成を有するワイヤーハーネス固定用粘着シートによれば、ワイヤーハーネス固定用粘着シートと剥離ライナーとの剥離の際、ワイヤーハーネス固定用粘着シートに比べてこしの弱い剥離ライナーに変形が生じ易く、こしの強いワイヤーハーネス固定用粘着シートでは変形が抑制されるため、ワイヤーハーネス固定用粘着シートに癖がつき難い。
【図面の簡単な説明】
【０００８】
【図１】実施形態のワイヤーハーネス固定用粘着シートを示す斜視図である。
【図２】ワイヤーハーネス固定用粘着シートの剥離力測定の概要を示す斜視図である。
【図３】図２の符号３から見た図である。
【図４】ワイヤーハーネス固定用粘着シートと剥離ライナーとの剥離を示す図である。
【発明を実施するための形態】
【０００９】
以下、添付した図面を参照しながら、本発明の実施形態を説明する。なお、図面の寸法比率は、説明の都合上誇張されており、実際の比率とは異なる。
【００１０】
図１に示すように、実施形態のワイヤーハーネス固定用粘着シート１００（以下、単に粘着シート１００と称す）は、基材１０１、接着剤層１０２、樹脂フィルム１０３、および粘着剤層１０４がこの順序で積層された構成を有する。粘着シート１００は、粘着剤層１０４を介して剥離ライナー１１０に剥離自在に配置されている。
【００１１】
粘着シート１００は、長尺な剥離ライナー１１０の長手方向に沿って複数配置されている。複数の粘着シート１００は、剥離ライナー１１０とともに巻回されてロール１０５にされ、コンパクトにまとめられる。粘着シート１００は、必要に応じて剥離ライナー１１０とともにロール１０５から引き出され、剥離ライナー１１０から剥がして使用される。
【００１２】
粘着シート１００の剛軟度は、剥離ライナー１１０の剛軟度よりも大きい。剥離ライナー１１０の剛軟度は、粘着シート１００の剛軟度よりも小さければ、本発明の効果が得られるが、その値は例えば１．５ｍＮ以下であることが好ましく、粘着シート１００を支持するために例えば０．５ｍＮであることが好ましい。粘着シート１００の剛軟度、および剥離ライナー１１０の剛軟度のそれぞれは、ＪＩＳ  Ｌ  １０８５に準拠したガーレ法によって同様に測定できる。
【００１３】
粘着シート１００の剛軟度は、樹脂フィルム１０３の厚みや材質を変えることによって調整可能であり、また、剥離ライナー１１０の剛軟度も、厚みや材質を変えることによって調整可能である。
【００１４】
基材１０１は、金属箔である。基材１０１を形成する金属箔の材料として、例えば、アルミニウム、鉛、マグネシウム、銅、銀等が挙げられるが、これらに限定されない。基材１０１の厚みは、例えば７〜１００μｍであるが、これに限定されない。
【００１５】
接着剤層１０２は、基材１０１の一方の面に形成されており、基材１０１と樹脂フィルム１０３とを剥離しないように一体に接着している。接着剤層１０２は、例えばドライラミネート用接着剤からなるが、これに限定されない。
【００１６】
樹脂フィルム１０３は、接着剤層１０２を介さず基材１０１に直接設けられていてもよく、例えば溶融押出法によって、直接、基材１０１に剥離しないよう一体に形成することができる。樹脂フィルム１０３は、非発泡のいわゆるソリッドな状態に形成されている。
【００１７】
樹脂フィルム１０３の形成材料は、耐引裂性が良好であることが好ましく、例えば、ポリエチレンテレフタレート（ＰＥＴ）、ポリプロピレン（ＰＰ）、ポリエチレン（ＰＥ）、およびポリ塩化ビニル（ＰＶＣ）からなる群より選択される一種であるが、これらに限定されず、例えば、ポリスチレン（ＰＳ）等であってもよい。ポリ塩化ビニル（ＰＶＣ）、およびポリスチレン（ＰＳ）等は、好ましくは、可塑剤を含ませることによって柔軟性を上げて用いられる。樹脂フィルム１０３の厚みは、例えば、６〜５０μｍである。
【００１８】
粘着剤層１０４は、例えば、アクリル系粘着剤、ゴム系粘着剤、シリコーン系粘着剤、ポリウレタン系粘着剤等によって形成されるが、粘着剤層１０４の形成材料はこれらに限定されない。また、それらの粘着剤は、１種を単独で用いても２種以上を併用してもよい。
【００１９】
剥離ライナー１１０は、上質紙、クラフト紙、またはグラシン紙が用いられ、剛軟度が小さいことから好ましくはグラシン紙である。剥離ライナー１１０と粘着剤層１０４とが円滑に剥離するよう、剥離ライナー１１０の表面にシリコーン等の剥離剤が塗布されていてもよい。また、この場合、剥離剤が剥離ライナー１１０に浸み込むのを抑制するため、剥離剤と剥離ライナー１１０との間に、例えばスチレン・ブタジエン共重合体等の水系高分子物質やポリエチレン等を含む目止め層が設けられていてもよい。剥離ライナー１１０の厚みは、例えば、５０〜１８０μｍであるが、これに限定されない。
【００２０】
粘着シート１００を剥離ライナー１１０から剥がすのに要する剥離力は、特に限定されないが、例えばロール１０５の輸送や保管の際には、それらが意図せず剥がれないことが望ましく、また、粘着シート１００の使用の際には、粘着シート１００を剥離ライナー１１０から手で簡単に剥がせることが望ましい。
【００２１】
図２に示すように、粘着シート１００の剥離力は、固定された剥離ライナー１１０に対し、粘着シート１００を剥離角度１８０°で剥離させて測定することができる。
【００２２】
ここで測定に用いられる剥離ライナー１１０は、粘着シート１００と同じ大きさに裁断されており、粘着シート１００および剥離ライナー１１０はともに、長辺Ｌ１が１００ｍｍで、短辺Ｌ２が５０ｍｍの長方形の形状を有する。
【００２３】
剥離ライナー１１０の全面が例えば平坦な台の上に平面状に固定される一方、粘着シート１００は、粘着剤層１０４が表になるよう、短辺Ｌ２を構成する端部１０６が１８０°裏返され（剥離角度１８０°）、そのまま長辺Ｌ１に沿って長手方向に引っ張られて剥がされる。このとき端部１０６に加えられる力Ｆが、剥離力として、ＪＩＳ  Ｚ０２３７：２００９によって測定される。
【００２４】
剥離力は、好ましくは、剥離速度０．３ｍ／分で５０ｍＮ／５０ｍｍ以上、剥離速度５０ｍ／分で２０００ｍＮ／５０ｍｍ以下である。剥離速度は、端部１０６が引っ張られて移動する速度である。剥離力は、例えば、剥離ライナー１１０の剥離剤の種類を変えることによって調整可能である。
【００２５】
剥離力が剥離速度０．３ｍ／分で５０ｍＮ／５０ｍｍ以上であれば、例えばロール１０５の輸送や保管の際に、粘着シート１００と剥離ライナー１１０とが意図せず剥がれ難い。
【００２６】
また、剥離力が剥離速度５０ｍ／分で２０００ｍＮ／５０ｍｍ以下であれば、作業者は必要に応じて粘着シート１００と剥離ライナー１１０とを手で簡単に剥がすことができる。
【００２７】
図３に示すように、剥離されている粘着シート１００を止めたとき、粘着シート１００の円弧状の折返し部１０７の曲率半径は、３ｍｍ以上１０ｍｍ以下となることが好ましい。
【００２８】
剥離速度が５０ｍ／分の場合、剥離速度が大きいため、剥離されている粘着シート１００を途中で止めることが困難であるが、剥離速度が０．３ｍ／分であれば、剥離されている粘着シート１００を途中で止めることができる。そのため、上で述べた好ましい曲率半径は、剥離速度０．３ｍ／分で剥離されている粘着シート１００を途中で止めたときの曲率半径である。
【００２９】
折返し部１０７の曲率半径は、端部１０６が粘着シート１００の平面部分に接するようにした状態において、剥離ライナー１１０の平面に対して垂直な方向における折返し部１０７の高さの半分（Ｈ／２）として簡易的に求めることができる。
【００３０】
折返し部１０７の曲率半径は、粘着シート１００の剥離力、および粘着シート１００自身のこしに依存する。
【００３１】
粘着シート１００のこしが弱すぎ、粘着シート１００が剥離の際に容易に変形して癖がついてしまうような場合、あるいは、剥離力が必要以上に大きく、剥離の際に粘着シート１００が強く引っ張られて癖がついてしまうような場合、折返し部１０７の曲率半径は過剰に小さくなり、例えば３ｍｍ未満である。
【００３２】
一方、粘着シート１００のこしが必要以上に強く、貼付対象物への形状追従性が低い場合、あるいは、剥離力が小さすぎ、粘着シート１００が意図せず剥離ライナー１１０から剥離し易い場合、折返し部１０７の曲率半径は過剰に大きくなり、例えば１０ｍｍ以上である。
【００３３】
それらのことから、折返し部１０７の曲率半径は、３ｍｍ以上１０ｍｍ以下となることが好ましく、このような曲率半径であれば、粘着シート１００自身のこしと剥離力とのバランスが良い。
【００３４】
図４に示すように、実際の使用の際、粘着シート１００および剥離ライナー１１０は、それぞれめくるようにして互いに剥がされ、剥がされた粘着シート１００は、粘着剤層１０４によって貼付対象物に貼り付けられる。
【００３５】
粘着シート１００は、自動車に張り巡らされるワイヤーハーネスを車体に固定するのに用いられ、それらにまたがって貼り付けられる。
【００３６】
次に本実施形態の作用効果を述べる。
【００３７】
図４で示したように、粘着シート１００と剥離ライナー１１０とが剥がされる際、それらにはめくるようにして力が加わるが、剛軟度が相対的に小さくこしの弱い剥離ライナー１１０に変形が生じ易く、剛軟度が相対的に大きくこしの強い粘着シート１００では変形が抑制される。このため、粘着シート１００に癖がつき難い。
【００３８】
特に、剥離ライナー１１０がグラシン紙であれば、例えば上質紙等に比べて柔軟であるため、剥離ライナー１１０が大きく変形し易く、その分、粘着シート１００では変形が抑制される。従って、粘着シート１００に癖が一層つき難くなる。
【００３９】
上で述べたように、粘着シート１００の剥離力が、剥離速度０．３ｍ／分で５０ｍＮ／５０ｍｍ以上であれば、粘着シート１００と剥離ライナー１１０とが意図せず剥がれ難いため、小さなゴミや埃、手の油等が、粘着シート１００の表面の粘着剤層１０４に付着するのが防止され、粘着剤層１０４の表面を清浄に保つことができる。
【００４０】
また、上で述べたように、粘着シート１００の剥離力が、剥離速度５０ｍ／分で２０００ｍＮ／５０ｍｍ以下であれば、作業者は必要に応じて粘着シート１００と剥離ライナー１１０とを手で簡単に剥がすことができる。
【００４１】
剥離力が大きいほど、粘着シート１００と剥離ライナー１１０とが意図せず剥がれるのを確実に防止できるが、剥離力が大き過ぎると、それらを実際に手で剥がす際に粘着シート１００が強く引っ張られて大きな力が作用し易く、その結果、粘着シート１００に癖がつく虞がある。
【００４２】
これに対し、剥離力が剥離速度５０ｍ／分で２０００ｍＮ／５０ｍｍ以下であれば、作業者が粘着シート１００を手で簡単に剥がせるため、剥離の際に粘着シート１００に癖がつき難い。
【００４３】
また、剥離力は剥離速度に依存するが、作業者が手で剥がすときの剥離速度に近い５０ｍ／分で剥離力が２０００ｍＮ／５０ｍｍ以下であれば、作業者が実際に貼付作業を行う際に粘着シート１００を剥離ライナー１１０から円滑に剥がすことができる。
【００４４】
また、上で述べたように、折返し部１０７の曲率半径が３ｍｍ以上１０ｍｍ以下となるような粘着シート１００であれば、粘着シート１００自身のこしと剥離力とのバランスが良好である。このため、粘着シート１００は、意図しない剥離が生じないよう剥離ライナー１１０にしっかり保持されつつも、それらを剥がすために力が加えられた際に癖がつき難く、また貼付対象物の形状に良好に追従することもできる。
【００４５】
粘着シート１００は、ワイヤーハーネスの形状に沿うように追従して貼り付けられる際、例えばスキージー等の平板状でへりが僅かに尖った道具や爪が押し当てられることがある。また、粘着シート１００は、貼付対象物に一旦貼り付けられた後、貼り直しのために貼付対象物から剥がされることがある。それらの場合、粘着シート１００には、引裂くような大きな力が加わる。
【００４６】
これに対し本実施形態では、粘着シート１００が樹脂フィルム１０３を有することによって、単純な面方向の引張りに対する強度だけでなく、引裂きに対する強度も増している。このため、粘着シート１００は、引裂くような大きな力が加わったとしてもちぎれ難い。引裂きは、一般的に、部分的に生じた裂け目をきっかけとして急速に進行するが、樹脂フィルム１０３が設けられることによって、引裂きのきっかけ自体が生じ難くなる。
【００４７】
特に、樹脂フィルム１０３の形成材料が、ポリエチレンテレフタレート（ＰＥＴ）、ポリプロピレン（ＰＰ）、ポリエチレン（ＰＥ）、およびポリ塩化ビニル（ＰＶＣ）からなる群より選択される一種であれば、耐引裂性が優れるため、引裂きによる粘着シート１００のちぎれをより効果的に防止できる。
【００４８】
本発明は、上述した実施形態に限定されるものではなく、特許請求の範囲内で種々改変できる。
【００４９】
例えば、粘着シートの形状は、特に限定されず、上記実施形態の粘着シート１００のように矩形の形状であってもよいし、テープ状の細長い形状であってもよいし、それら以外の形状であってもよい。また、剥離ライナーの形状も、特に限定されず、上記実施形態の剥離ライナー１１０のようにテープ状の細長い形状であってもよいし、枚葉紙のような矩形の形状であってもよいし、それら以外の形状であってもよい。また、粘着シートおよび剥離ライナーの大きさも特に限定されない。
【００５０】
また、本発明の粘着シートがワイヤーハーネスに対してどのように貼り付けられるかは、特に限定されない。
【００５１】
また、剥離ライナーは、粘着シートの剛軟度よりも小さい剛軟度を有し、粘着剤層の表面を剥離自在に覆うものであれば、上記実施形態で述べたようにグラシン紙に限定されない。剥離ライナーは、例えば、上質紙、クラフト紙等の紙基材の表面にシリコーン等の剥離剤が塗布されたものであってもよい。
【符号の説明】
【００５２】
１００    ワイヤーハーネス固定用粘着シート、
１０１    基材、
１０２    接着剤層、
１０３    樹脂フィルム、
１０４    粘着剤層、
１０５    ロール、
１０６    粘着シートの端部、
１０７    折返し部、
１１０    剥離ライナー、
Ｈ    折返し部の高さ。
【図１】
2018104499.tif 000003
【図２】
2018104499.tif 000004
【図３】
2018104499.tif 000005
【図４】
2018104499.tif 000006